(57)【特許請求の範囲】
【請求項１】
電話機の電源供給装置において、
ネットワークに接続する機能と、
前記ネットワークに接続しているスキャナ装置より画像データを読み込み、符号化した後、ファクシミリ信号に変調して送信する機能と、
受信したファクシミリ信号を復調した後に、復号化して、さらに前記ネットワークに接続しているプリンタ装置で印刷可能な形式に変換して前記プリンタ装置で印刷を行わせる機能と、
電源供給装置内にあるバスと電話機内にあるバスとを接続する機能とを有し、
前記電話機は、前記ネットワークに接続されている前記スキャナ装置または前記プリンタ装置の前記ネットワークにおける所在位置を記憶するメモリＲＡＭを有し、かつ
前記電話機は、前記ネットワークに接続されて電源投入されると前記メモリＲＡＭに記憶している前記前記スキャナ装置または前記プリンタ装置の前記ネットワークにおける所在位置の記憶をリセットするとともに前記スキャナ装置または前記プリンタ装置の所在位置を検索して記憶する機能を有する
ことを特徴とする電源供給装置。
【請求項２】
電話機の電源供給装置において、
ネットワークとの接続手段と、
前記ネットワークに接続しているスキャナ装置より画像データを読み込む読込手段と、
読み込んだ前記画像データをファクシミリ符号に符号化する符号化手段と、
符号化した前記ファクシミリ符号をファクシミリ信号に変調する変調手段と、
変調した前記ファクシミリ信号を送信する送信手段と、
ファクシミリ信号を受信する受信手段と、
受信した前記ファクシミリ信号をファクシミリ符号に復調する復調手段と、
復調した前記ファクシミリ符号を画像データに復号化する復号化手段と、
復号化した前記画像データを前記ネットワークに接続しているプリンタ装置で印刷可能な形式に変換した後に、前記プリンタ装置に前記ネットワークを介して印刷を行わせる制御手段と、
電源供給装置内にあるバスと電話機内にあるバスとを接続する端子とを有し、
前記電話機は、
前記ネットワークに接続されている前記スキャナ装置または前記プリンタ装置の前記ネットワークにおける所在位置を記憶するメモリＲＡＭを有し、かつ
前記ネットワークに接続されて電源投入されると、前記メモリＲＡＭに記憶している前記スキャナ装置または前記プリンタ装置の前記ネットワークにおける所在位置の記憶をリセットするとともに前記スキャナ装置または前記プリンタ装置の所在位置を検索して記憶する
ことを特徴とする電源供給装置。
【請求項３】
請求項２に記載の電源供給装置において、
前記端子は、前記各手段を接続したバスと電話機内にあるバスとを接続する端子と、前記変調手段と前記復調手段と前記電話機内のネットワーク制御ユニットとを接続する端子と、を含むことを特徴とする電源供給装置。
【請求項４】
請求項２または３に記載の電源供給装置において、
前記電話機は携帯電話機であり、
前記送信手段は、変調した前記ファクシミリ信号を無線信号に変換して送信し、
前記受信手段は、無線信号から抽出した前記ファクシミリ信号を受信することを特徴とする電源供給装置。
【請求項５】
請求項２乃至４のいずれか一項に記載の電源供給装置において、
前記接続手段は、無線ネットワークとの接続を行う無線接続手段であることを特徴とする電源供給装置。
【発明の詳細な説明】
【０００１】
【発明の属する技術分野】
本発明は、ファクシミリ用データ送受信機能を有する電話機に関する。さらに、ファクシミリ用データ送受信機能を付与した携帯電話機および携帯電話機バッテリ充電装置に関する。
【０００２】
【従来の技術】
通常のファクシミリ装置は、処理装置部、メモリ部、網制御ユニットＮＣＵ（Ｎｅｔｗｏｒｋ  Ｃｏｎｔｒｏｌ  Ｕｎｉｔ）、変復調部、符号化復号化部、読取部および記録部を一体とした構造としているため、大きな設置面積を必要としている。また、パソコン・ファックスとして、パーソナル・コンピュータを仲立ちとして、ファクシミリ機能を実現しているものもあるが、パーソナル・コンピュータを必要とする上、インタネット等への接続機能も必要となる。
【０００３】
【発明が解決しようとする課題】
本発明の課題は、ファクシミリ機能付き電話機においてファクシミリ機能のうち一部の機能を他の装置に分散することにより小型化を図ること、さらには、移動先においてもファクシミリ用データの送受信機能を実現できることにある。
【０００４】
【課題を解決するための手段】
近年、パーソナル・コンピュータの普及によりオフィス環境ではローカル・エリア・ネットワークＬＡＮが設置され、該ＬＡＮにプリンタ装置やスキャナ装置が接続されるようになりつつある。
【０００５】
請求項１の発明は、電話機の電源供給装置において、
ネットワークに接続する機能と、
前記ネットワークに接続しているスキャナ装置より画像データを読み込み、符号化した後、ファクシミリ信号に変調して送信する機能と、
受信したファクシミリ信号を復調した後に、復号化して、さらに前記ネットワークに接続しているプリンタ装置で印刷可能な形式に変換して前記プリンタ装置で印刷を行わせる機能と、
電源供給装置内にあるバスと電話機内にあるバスとを接続する機能とを有し、
前記電話機は、前記ネットワークに接続されている前記スキャナ装置または前記プリンタ装置の前記ネットワークにおける所在位置を記憶するメモリＲＡＭを有し、かつ
前記電話機は、前記ネットワークに接続されて電源投入されると前記メモリＲＡＭに記憶している前記前記スキャナ装置または前記プリンタ装置の前記ネットワークにおける所在位置の記憶をリセットするとともに前記スキャナ装置または前記プリンタ装置の所在位置を検索して記憶する機能を有することを特徴としたものである。
【０００６】
請求項２の発明は、電話機の電源供給装置において、
ネットワークとの接続手段と、
前記ネットワークに接続しているスキャナ装置より画像データを読み込む読込手段と、
読み込んだ前記画像データをファクシミリ符号に符号化する符号化手段と、
符号化した前記ファクシミリ符号をファクシミリ信号に変調する変調手段と、
変調した前記ファクシミリ信号を送信する送信手段と、
ファクシミリ信号を受信する受信手段と、
受信した前記ファクシミリ信号をファクシミリ符号に復調する復調手段と、
復調した前記ファクシミリ符号を画像データに復号化する復号化手段と、
復号化した前記画像データを前記ネットワークに接続しているプリンタ装置で印刷可能な形式に変換した後に、前記プリンタ装置に前記ネットワークを介して印刷を行わせる制御手段と、
電源供給装置内にあるバスと電話機内にあるバスとを接続する端子とを有し、
前記電話機は、
前記ネットワークに接続されている前記スキャナ装置または前記プリンタ装置の前記ネットワークにおける所在位置を記憶するメモリＲＡＭを有し、かつ
前記ネットワークに接続されて電源投入されると、前記メモリＲＡＭに記憶している前記スキャナ装置または前記プリンタ装置の前記ネットワークにおける所在位置の記憶をリセットするとともに前記スキャナ装置または前記プリンタ装置の所在位置を検索して記憶することを特徴としたものである。
【０００７】
請求項３の発明は、請求項２に記載の電源供給装置において、前記端子は、前記各手段を接続したバスと電話機内にあるバスとを接続する端子と、前記変調手段と前記復調手段と前記電話機内のネットワーク制御ユニットとを接続する端子と、を含むことを特徴としたものである。
【０００８】
請求項４の発明は、請求項２または３に記載の電源供給装置において、前記電話機は携帯電話機であり、前記送信手段は、変調した前記ファクシミリ信号を無線信号に変換して送信し、前記受信手段は、無線信号から抽出した前記ファクシミリ信号を受信することを特徴としたものである。
【０００９】
請求項５の発明は、請求項２乃至４のいずれか一項に記載の電源供給装置において、
前記接続手段は、無線ネットワークとの接続を行う無線接続手段であることを特徴としたものである。
【００１１】
【発明の実施の形態】
本発明は、文書・図面などの原稿を画像データとして送受信するファクシミリ装置すなわちファクシミリ機能付き電話機に関し、該電話機内にある記録部と読取部の機能を、ローカル・エリア・ネットワークに接続している他の装置で実現することを特徴とする。まず、従来のファクシミリ装置について、図２に従って説明する。
図２は、従来のファクシミリ装置すなわちファクシミリ機能付き電話機を示すブロック図である。図２において、１は該電話機内の各部を制御する中央演算処理装置ＣＰＵ（Ｃｅｎｔｒａｌ  Ｐｒｏｃｅｓｓｉｎｇ  Ｕｎｉｔ）、２は該電話機内の各部の制御を行うプログラムが入っているメモリＲＯＭ（Ｒｅａｄ  Ｏｎｌｙ  Ｍｅｍｏｒｙ）、３は送受信するデータを一時保管したり、プログラムのデータを保有する領域となるメモリＲＡＭ（Ｒａｎｄｏｍ  Ａｃｃｅｓｓ  Ｍｅｍｏｒｙ）である。
【００１２】
１４はデータ送信時に送信する原稿を読み取る読取部、１５はデータ受信時に受信画像データを出力する記録部である。４はデータ送信時に読取部１４により読み込んだ画像データをファクシミリ符号に符号化するとともに、データ受信時に符号化されているファクシミリ符号を復号化し、元の画像データに復元する符号化復号化部である。
また、５はデータ送信時に符号化復号化部４の出力を電話回線８を通じて伝送できる周波数帯域内の信号に変調すると共に、データ受信時は変調されているファクシミリ符号を復調する変復調部、６は変復調部５の入出力データ信号を電話回線８と送受するためのネットワーク制御ユニット（以下、ＮＣＵと記す）である。７は電話機本体で、送受話器や電話番号入力部をもつ。
【００１３】
次に、上述した従来のファクシミリ装置の動作概略を説明する。まず、データ送信時について述べる。送信原稿を読取部１４に置き、電話機７の電話番号入力部で送信先を指定する。送信される原稿はメモリＲＯＭ２に記憶しているプログラムに従ったＣＰＵ１の制御により、読取部１４により画像データとして読み取られる。読み取られた該画像データは、符号化復号化部４で、データ量を圧縮したファクシミリ符号に符号化され、変復調部５で電話回線８を通じて伝送できる周波数帯域内の信号に変調された後、ＮＣＵ６から電話回線８に送出される。
【００１４】
次に、データ受信時について述べる。電話回線８から送られてきた変調ファクシミリ信号は、ＮＣＵ６を通じて受信され、変復調部５でファクシミリ符号に復調される。復調後のファクシミリ符号はメモリＲＯＭ２に記憶しているプログラムに従ったＣＰＵ１の制御により符号化復号化部４で元の画像データに復号化されながら記録部１５で記録紙上に出力される。
【００１５】
次に、本発明に係るファクシミリ機能付き電話機について図１，図３に示す一実施例に従って説明する。図１は、本発明のファクシミリ機能付き電話機の機能を示すブロック図である。図３は、電話機上の電話番号入力部と操作キーの配列の一例を示す図である。
図１において、１９は本発明のファクシミリ機能付き電話機本体を示す。図１に示すように、図２に示した従来のファクシミリ装置における記録部１５と読取部１４が削除され、その代わりに、ローカル・エリア・ネットワークＬＡＮ１１と接続するためのＬＡＮ  Ｉ／Ｆ９が追加されている。
また、符号化復号化部１０はメモリＲＯＭ２に記憶しているプログラムに従ったＣＰＵ１の制御により、データ送信時にはスキャナ装置１２からメモリＲＡＭ３に読み込んだ画像データをファクシミリ符号に圧縮符号化するとともに、データ受信時には、変復調部５で復調された受信ファクシミリ符号を元の画像データに伸長復号化して、メモリＲＡＭ３に蓄積するものである。
【００１６】
なお、ＬＡＮ  Ｉ／Ｆ９は、たとえばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などのプロトコルによりＬＡＮ１１と接続するためのインタフェース部であり、ＬＡＮ１１に接続しているスキャナ装置１２やプリンタ装置１３との間で情報の授受を行うことができる。
この時、ファクシミリ機能付き電話機１９のメモリＲＯＭ２にはスキャナ装置１２およびプリンタ装置１３のＬＡＮ１１における所在位置を示すＩＰアドレスをあらかじめ記憶している。ファクシミリ機能付き電話機１９がスキャナ装置１２あるいはプリンタ装置１３にアクセスする場合、メモリＲＯＭ２にあるプログラムがメモリＲＯＭ２に記憶した前記ＩＰアドレスを参照してスキャナ装置１２あるいはプリンタ装置１３を特定し、ＬＡＮ  Ｉ／Ｆ１１に対し情報の授受を指示する。
【００１７】
上述の例では、スキャナ装置１２およびプリンタ装置１３のＬＡＮ１１上の所在位置を示すＩＰアドレスをメモリＲＯＭ２に記憶する方法を示しているが、上記の各装置の所定位置をファクシミリ機能付き電話機１９の電源投入時に実行されるリセット手順により取得して、メモリＲＡＭ３内に記憶する方法を用いてもよい。すなわち、ＬＡＮ１１に接続したファクシミリ機能付き電話機１９の電源を投入すると、リセット手順が動作し、ファクシミリ機能付き電話機１９はＬＡＮ１１に接続されているすべての機器を検索して機器の種類と機器の所定位置を調べることができるので、その中からスキャナ装置１２及びプリンタ装置１３のＬＡＮ１１における所在位置をメモリＲＡＭ３に登録することができる。
【００１８】
さらに、図３は、電話機７上に配置した電話番号入力部の一例を示しているが、電話番号の入力部以外に「スタート」および「ストップ」の２つの操作キーを有している。
「スタート」キーはスキャナ装置１２にセットした送信原稿をメモリＲＡＭ３に送信すべきファクシミリ用データとして読み込む動作の開始を指示するものであり、ＣＰＵ１に対しその旨の通知信号を発生し、メモリＲＯＭ２にあるプログラムに知らせる。
一方、「ストップ」キーは、メモリＲＡＭ３に蓄積したファクシミリ用データを電話回線８へ送信する動作の中止を指示するものであり、ＣＰＵ１に対し、その旨の通知信号を発生し、メモリＲＯＭ２にあるプログラムに知らせる。
【００１９】
また、スキャナ装置１２およびプリンタ装置１３は、通常同一のＬＡＮ１１に接続されているパーソナルコンピュータ１６からの指示に応じて、パーソナルコンピュータ１６内のメモリとの間で、原稿の読み込みや情報の印刷を行う汎用の入出力装置である。すなちわ、スキャナ装置１２は、たとえば、ＴＷＡＩＮ（Ｔｅｃｈｎｏｌｏｇｙ  Ｗｉｔｈｏｕｔ  Ａｎｙ  Ｉｎｔｅｒｓｔｅｄ  Ｎａｍｅ）規格に従ったプロトコルで、スキャナ装置１２にセットした原稿をパーソナルコンピュータ１６内のメモリに読み込むものであり、ファクシミリ機能付き電話機１９においても、たとえば、該ＴＷＡＩＮプロトコルに従って原稿の読み取り指示をスキャナ装置１２に行えば、読み取った原稿を画像データとしてファクシミリ機能付き電話機１９内のメモリＲＡＭ３に蓄えることができる。
【００２０】
また、プリンタ装置１３は、プリンタ用言語形式（たとえば、レーザプリンタなどのページプリンタである場合は、Ｐｏｓｔ  Ｓｃｒｉｐｔなどのプリンタ装置用ページ記述言語形式）で表現して、パーソナルコンピュータ１６内のメモリに格納した情報をプリンタ装置１３上の記録紙に印刷する。ファクシミリ機能付き電話機１９においても、たとえば、前記Ｐｏｓｔ  Ｓｃｒｉｐｔなどのプリンタ用言語形式で表現してメモリＲＡＭ３に格納した情報の出力指示をプリンタ装置１３に行えばプリンタ装置１３にセットしている記録紙に印刷を行うことができる。
【００２１】
次に、本実施例のファクシミリ機能付き電話機１９の動作について、図４，図５のフローチャートを参照しながら説明する。
ここで、図４はデータ送信動作の概略を示すフローチャートであり、図５はデータ受信動作の概略を示すフローチャートである。
【００２２】
まず、データ送信動作を図４に従って説明する。
送信する原稿をスキャナ装置１２にセットした後、図３に示す電話番号入力部から送信先の相手電話番号を入力する（Ｓ１）とともに、電話機７上の操作キー「スタート」を押下する（Ｓ２）。
メモリＲＯＭ２にあるプログラムに従ってＣＰＵ１は入力された電話番号をＮＣＵ６を介して電話回線８へ送出する指示を出すとともに、スキャナ装置１２に対し、ＬＡＮ  Ｉ／Ｆ９，ＬＡＮ１１を経由して、原稿のセット状態のチェックを指示する。
【００２３】
スキャナ装置１２は原稿がセットされているかチェックし、もし、原稿がなければエラーステータスをＬＡＮ１１，ＬＡＮ  Ｉ／Ｆ９を経由してファクシミリ機能付き電話機１９に返送してくる。該エラーステータスを受け取る（Ｓ３０のＮＯ）と、メモリＲＯＭ２にあるプログラムに従ってＣＰＵ１はスキャナ装置１２の解放を行うと同時にＮＣＵ６に対して電話回線８の接続動作の中止を指示する（Ｓ４）。
【００２４】
一方、スキャナ装置１２に原稿がセットされている場合（Ｓ３のＹＥＳ）、メモリＲＯＭ２にあるプログラムの読み込み部２ａに従ってＣＰＵ１は該スキャナ装置１２に対し走査開始を指示し、かつ、読み取ったデータを指定した解像度の画像データとしてＬＡＮ１１，ＬＡＮ  Ｉ／Ｆ９を介して、ファクシミリ機能付き電話機１９へ転送することを指示する。
スキャナ装置１２は原稿を順次走査し、指定の解像度の画像データすなわち送信すべきファクシミリ用データとしてファクシミリ機能付電話機１９に順次転送してくる。ファクシミリ機能付電話機１９は該画像データを順次メモリＲＡＭ３に格納していく（Ｓ５）。
【００２５】
また、ＮＣＵ６が送信先の相手との電話回線８の接続の完了を検出すると、その旨をＣＰＵ１に通知してくるので、メモリＲＯＭ２にあるプログラムに従ってＣＰＵ１は送信先の相手ファクシミリ機との間で、ファクシミリ用データの送信を開始するための情報交換を伝送制御手順に基づいて行う（Ｓ６）。
【００２６】
ファクシミリ用データの送受信準備が完了した時、メモリＲＯＭ２にあるプログラムに従ってＣＰＵ１は、電話機７上にある操作キー「ストップ」が押下されていない（Ｓ７のＮＯ）ことを確認した後、符号化復号化部１０に対して、メモリＲＡＭ３に蓄積された前記画像データを適当な送信単位に区切って、ファクシミリ符号形式に圧縮符号化することを指示する（Ｓ８）。
メモリＲＯＭ２にあるプログラムに従ってＣＰＵ１は符号化を終了した画像データすなわちファクシミリ符号に、必要に応じて誤り制御のためのフレームチェックシーケンスの付与やフレームの開始フラグ、終了フラグの追加など送信情報としてのフォーマット化を施した後、メモリＲＯＭ２にあるプログラムの送信部２ｃに従ってＣＰＵ１は、変復調部５に対し、前記ファクシミリ符号を電話回線８を通じて伝送できる周波数帯域のファクシミリ信号に変調することを指示し、さらに、前記変調されたファクシミリ信号を、ＮＣＵ６を介して電話回線８に送信することを指示する（Ｓ９）。
【００２７】
送信すべき画像データが未だ残っている場合（Ｓ１０のＮＯ）は、送信相手先に、まだ送信するデータがある旨を通知するとともに、Ｓ７のステップに戻り、前記「ストップ」キーの押下がない（Ｓ７のＮＯ）ことを確認して、次の画像データの符号化以降の手順を繰り返す。
一方、送信すべき画像データがなくなった場合（Ｓ１０のＹＥＳ）は、送信動作の終了を送信相手先に通知した（Ｓ１１）後、電話回線８の開放をＮＣＵ６に指示する（Ｓ１２）。
また、前記「ストップ」キーが押下されている場合（Ｓ７のＹＥＳ）、送信動作を打切ることを送信相手先に通知した（Ｓ１３）後、電話回線８の開放をＮＣＵ６に指示する（Ｓ１２）。
【００２８】
次に、データ受信動作を図５に従って説明する。電話回線８からの着信をＮＣＵ６が検出すると、その旨をＣＰＵ１に通知する（Ｓ２０）。メモリＲＯＭ２にあるプログラムに従ってＣＰＵ１は送信元の相手ファクシミリ機との間でファクシミリ用データの受信を開始するための情報交換を伝送制御手順に基づいて行う（Ｓ２１）。
【００２９】
受信準備が終了すると、メモリＲＯＭ２にあるプログラムの受信部２ｄに従ってＣＰＵ１は、受信動作中止の指示（すなわち、相手送信元から「ストップ」キー押下による送信動作中止の旨の通知）がない（Ｓ２２のＮＯ）ことを確認して、変復調部５に対してＮＣＵ６を介して電話回線８から送られてくるファクシミリ信号を受信してファクシミリ符号に復調した（Ｓ２３）後、メモリＲＡＭ３に格納することを指示する（Ｓ２４）。
なお、復調したファクシミリ符号は必要に応じて付加した制御情報により誤り制御等伝送制御手順に応じた処理を行った後、該付加制御情報を削除し、ファクシミリ符号のみの受信データとしてメモリＲＡＭ３に保存される。
【００３０】
さらに、メモリＲＯＭ２にあるプログラムに従ってＣＰＵ１は、符号化復号化部１０に対してメモリＲＡＭ３に保存したファクシミリ符号を伸長復号化し、元の画像データ、すなわち、受信すべきファクシミリ用データに戻すことを指示する（Ｓ２５）。
【００３１】
次に、メモリＲＯＭ２にあるプログラムの印刷部２ｂに従ってＣＰＵ１は復号化した画像データに対して、ＬＡＮ１１に接続しているプリンタ装置１３に出力できるプリンタ用言語形式に変換を施し、メモリＲＡＭ３に保存する（Ｓ２６）。たとえば、レーザプリンタなどのページプリンタの場合は、Ｐｏｓｔ  Ｓｃｒｉｐｔなどのプリンタ装置用ページ記述言語形式に変換する。
変換終了後、ＬＡＮ  Ｉ／Ｆ９，ＬＡＮ１１を介して、プリンタ装置１３に対して、プリンタ用言語形式のデータを印刷することを指示する（Ｓ２７）。
【００３２】
その後、受信すべきデータが残っているか、すなわち、相手送信元からさらに送信するデータがある旨の通知があるかチェックし、残っていれば（Ｓ２８のＮＯ）、Ｓ２２のステップに戻って次の受信データに関する変調ファクシミリ信号を復調するための動作を繰り返す。
一方、受信すべきデータがない場合（Ｓ２８のＹＥＳ）、受信動作の終了処置を行った（Ｓ２９）後、電話回線８の復旧をＮＣＵ６に指示する（Ｓ３０）。
なお、相手送信元から「ストップ」キー押下による送信動作中止の通知がある場合（Ｓ２２のＹＥＳ）、受信動作の中止処置を行った（Ｓ３１）後、電話回線８の復旧をＮＣＵ６に指示する（Ｓ３０）。
【００３３】
上述の実施例においては、電話網との接続をＮＣＵ６を介して有線の電話回線で行う場合を示しているが、該接続を携帯電話機を用いて無線回線で行うこともできる。いいかえれば、通常の携帯電話機にファクシミリ送受信機能を付与して実現するものである。
図６は、本発明に係るファクシミリ機能付き携帯電話機の一実施例を示すブロック図である。すなわち、携帯電話機本体２０に前述のＬＡＮ接続のためのインタフェース部ＬＡＮ  Ｉ／Ｆ９、スキャナ装置からメモリＲＡＭ３に読み込んだ画像データをファクシミリ符号に圧縮符号化するとともに、受信したファクシミリ符号を元の画像データに復号化してメモリＲＡＭ３に蓄積する符号化復号化部１０および電話回線上に伝送できる周波数帯域内のファクシミリ信号に変調または逆に復調する変復調部５を追加するとともに、電話機部２７に前述の「スタート」「ストップ」の２つの操作キー（図示していない）を追加している。
【００３４】
データ送信動作においては、追加した変復調部５、ＬＡＮ  Ｉ／Ｆ９、符号化復号化部１０をメモリＲＯＭ２２にあるプログラムに従ってＣＰＵ２１が制御し、スキャナ装置からＬＡＮ  Ｉ／Ｆ９を介してファクシミリ用送信データを画像データとして読み込み、符号化復号化部１０でファクシミリ符号に符号化し、さらに変復調部５でファクシミリ信号に変調してＮＣＵ２６を介して無線部２４から無線信号として送信する。
【００３５】
逆に、データ受信動作においては、上述の変復調部５，ＬＡＮＩ／Ｆ９，符号化復号化部１０をメモリＲＯＭ２２にあるプログラムに従ってＣＰＵ２１が制御し、無線部２４で受信した無線信号をＮＣＵ２６を経由して変復調部５でファクシミリ符号に復調した後、符号化復号化部１０で元の画像データに復号化する。さらに該画像データをプリンタ装置が理解できるプリンタ用言語形式に変換した後、ＬＡＮ  Ｉ／Ｆ９を介してＬＡＮに接続しているプリンタ装置に印刷する。
【００３６】
上記ファクシミリ機能付き携帯電話機を用いれば、移動先のＬＡＮのポートにＬＡＮ  Ｉ／Ｆ９を接続しさえすれば、該移動先においてもファクシミリ機能を利用することができる。なお、該携帯電話機がＬＡＮに接続しているスキャナ装置やプリンタ装置の所在位置を認識する手段は前述したように種々ある。たとえば、該携帯電話機のＬＡＮ  Ｉ／Ｆ９をＬＡＮの適当なポートに接続し、電源を投入した時、リセット手順が働き、該ＬＡＮに接続している機器を検索するので、その中からスキャナ装置やプリンタ装置の所在位置を該携帯電話機内のメモリＲＡＭ２３に登録できる。あるいは、あらかじめ、該携帯電話機内のメモリＲＡＭ２３に登録しておいてもよい。
【００３７】
また、図７は、本発明に係るファクシミリ機能を携帯電話機バッテリの充電装置すなわち電源供給装置に付与した場合の一実施例を示すブロック図である。図７において、２０は携帯電話機本体、３０は携帯電話機バッテリ充電装置（以下、充電装置と記す）を示す。充電装置３０にサブ処理装置Ｓ−ＣＰＵ３３，サブメモリＳ−ＲＯＭ３４，サブメモリＳ−ＲＡＭ３５，変復調部５，ＬＡＮＩ／Ｆ９および符号化復号化部１０の各部を設け、さらに、該各部をバス３２で共通に接続する。また、操作キー「スタート」，「ストップ」（図示していない）を充電装置３０に追加する。さらに、サブメモリＳ−ＲＯＭ３４にあるプログラムに従ってサブ処理装置Ｓ−ＣＰＵ３３の制御によって、ＬＡＮ  Ｉ／Ｆ９経由でスキャナ装置から読み込んだ画像データをファクシミリ符号に符号化し、さらにファクシミリ信号に変調をした後、携帯電話２０側のＮＣＵ２６を介して無線部２４に送信する手順と、無線信号からファクシミリ信号を抽出してＮＣＵ２６を介して変復調部５に送られてきたファクシミリ信号を復調し、さらに元の画像データに復号化した後、プリンタ用言語形式に変換してＬＡＮ  Ｉ／Ｆ９経由でプリンタ装置に印刷する手順とを有するプログラムをサブメモリＳ−ＲＯＭ３４に蓄えておく。
【００３８】
なお、上述の機能を実現するために、充電装置３０および携帯電話機２０には、互いの装置内にある共通のバス３２とバス２８とを相互接続するための端子４３，充電装置３０内の変復調部５と携帯電話機２０内のＮＣＵ２６とを接続するための端子４２とを有する。充電装置３０に携帯電話機２０をセットして、変復調部５を携帯電話機２０のＮＣＵ２６に接続し、さらに、バス３２を携帯電話機２０のバス２８に接続することにより、必要に応じてファクシミリ機能を携帯電話機に付与することができる。
【００３９】
さらに、上述の３つの実施例においては、同軸あるいはツイストペアケーブル等で構成する有線ＬＡＮにＬＡＮ  Ｉ／Ｆ９を用いて、ファクシミリ機能付き電話機，携帯電話機あるいは携帯電話機バッテリ充電装置を接続する場合を示しているが、ＬＡＮの形態として有線ＬＡＮではなく、無線ＬＡＮを用いることもできる。
すなわち、図６に示すファクシミリ機能付き携帯電話機において、有線ＬＡＮと接続する接続部ＬＡＮ  Ｉ／Ｆ９を削除し、その代わりに、たとえば無線ＬＡＮのアクセスポイントと準マイクロ波あるいは赤外線等の無線を用いて接続するＩＥＥＥ８０２.１１に準拠した通信プロトコルを用いた無線ＬＡＮ向の無線接続部を用いるものである。
該無線接続部を用いる場合、無線ＬＡＮのアクセスポイントとの間で無線通信を行うことができる領域内であれば、該携帯電話機を任意の場所に移動しても、ファクシミリ機能を利用することができる。
なお、無線ＬＡＮにおいては、アクセスポイントの無線領域内において無線接続部を有するファクシミリ機能付き携帯電話機の電源を投入した場合、もしくは電源投入状態にある該携帯電話機を無線ＬＡＮのアクセスポイントの無線領域内に移動させた場合、リセット手順が働くので、該無線ＬＡＮでアクセス可能なすべての機器を検索して、スキャナ装置やプリンタ装置の所在位置を該携帯電話機のメモリＲＡＭ２３に登録することができる。あるいは、あらかじめ該携帯電話機のメモリＲＡＭ２３内に登録しておいてもよい。
【００４０】
さらに、図７に示す携帯電話機のバッテリ充電装置においても、有線ＬＡＮとの接続部であるＬＡＮ  Ｉ／Ｆ９の代わりに、前述のごとき無線ＬＡＮ向の無線接続部を用いることも可能である。
なお上述したファクシミリ機能付き電話機は、記録部と読取部を削除することが実現できるので、省スペース化が可能である。さらには、記録部と読取部の機能を汎用のプリンタ装置とスキャナ装置の機能により実現するので、スキャナ装置，プリンタ装置を他のシステムと共用が可能であり、有効利用を図ることができる。また、移動先においてもファクシミリ機能を実現できる。さらに無線ＬＡＮ対応インタフェースを有するファクシミリ機能付き携帯電話機とすれば、さらに、移動先の範囲を拡大できる。
【００４１】
【発明の効果】
本発明の電源供給装置は、例えば無線ＬＡＮ等のネットワークに接続する機能を有することで、セットした電話機に、必要に応じてファクシミリ機能を付与することができるという効果が得られる。
【００４２】
請求項４又は５に記載の電源供給装置は、いずれも、携帯電話機を用いることで、ファクシミリ機能を付与された電話機の使用の移動範囲を拡大でき、移動先においてもファクシミリ機能を実現できる。
【図面の簡単な説明】
【図１】  本発明に係るファクシミリ機能付き電話機の一実施例を示すブロック図である。
【図２】  従来のファクシミリ装置の実施例を示すブロック図である。
【図３】  本発明に係る電話機上の電話番号入力部と操作キーの配列の一例を示す図である。
【図４】  ファクシミリ用データの送信動作の概略を示すフローチャートである。
【図５】  ファクシミリ用データの受信動作の概略を示すフローチャートである。
【図６】  本発明に係る別の実施例であるファクシミリ機能付き携帯電話機のブロック図である。
【図７】  本発明に係るさらに別の実施例であるファクシミリ機能付き携帯電話機バッテリ充電装置の一実施例を示すブロック図である。
【符号の説明】
１…中央処理装置ＣＰＵ、２…メモリＲＯＭ、３…メモリＲＡＭ、４…符号化復号化部、５…変復調部、６…ＮＣＵ、７…電話機、８…電話回線、９…ローカル・エリア・ネットワーク接続部ＬＡＮ  Ｉ／Ｆ、１０…符号化復号化部、１１…ローカル・エリア・ネットワークＬＡＮ、１２…スキャナ装置、１３…プリンタ装置、１４…読取部、１５…記録部、２６…パーソナルコンピュータ、１９…ファクシミリ機能付き電話機、２０…携帯電話機本体、２１…中央処理装置ＣＰＵ、２２…メモリＲＯＭ、２３…メモリＲＡＭ、２４…無線部、２５…トーン発生部、２６…ＮＣＵ、２７…電話機、２８…バス、２９…バッテリ、３０…携帯電話機バッテリ充電装置、３１…電源供給部、３２…バス、３３…サブ処理装置Ｓ−ＣＰＵ、３４…サブメモリＳ-ＲＯＭ、３５…サブメモリＳ−ＲＡＭ、４１，４２，４３…接続端子。
【図１】
0004323053.tif 000002
【図２】
0004323053.tif 000003
【図３】
0004323053.tif 000004
【図４】
0004323053.tif 000005
【図５】
0004323053.tif 000006
【図６】
0004323053.tif 000007
【図７】
0004323053.tif 000008